(57)【要約】      （修正有）【課題】スジ補正用のメモリと原稿サイズ検知用のメモリを共用し、安価なサイズ検知機能を有するシートスルー・ドキュメント・フィーダ補正処理装置を提供する。【解決手段】読み取り装置において、シートスルー・ドキュメント・フィーダを使用して原稿を読み取り、画像信号に変換し、原稿面と原稿読み取り素子間とのデータを少なくとも１ライン以上蓄えるメモリ手段２９と、このメモリ手段２９からの読み出しデータを用いてゴミ位置を検出するゴミ位置検出手段２８、前記メモリ手段２９からの読み出しデータを用いて原稿読み取りデータに補正を掛ける補正実施手段を有するシートスルー・ドキュメント・フィーダ補正処理装置において、シートスルー・ドキュメント・フィーダを使わずにブック読み取りを行う場合に、前記メモリ手段２９の読み取り画像データから原稿台に設置された原稿サイズを検知する機能を併せ備える。【選択図】図５
2006054717.tif 000002
【特許請求の範囲】
【請求項１】
読み取り装置において、シートスルー・ドキュメント・フィーダを使用して原稿を読み取り、読み取った画像情報をディジタル変換された画像信号に変換し、原稿面と原稿読み取り素子間とのデータを少なくとも１ライン以上蓄えるメモリ手段と、このメモリ手段からの読み出しデータを用いてゴミ位置を検出するゴミ位置検出手段と、前記メモリ手段からの読み出しデータを用いて原稿読み取りデータに補正を掛ける補正実施手段と、を有するシートスルー・ドキュメント・フィーダ補正処理装置において、シートスルー・ドキュメント・フィーダを使わずにブック読み取りを行う場合に、前記メモリ手段の読み取り画像データから原稿台に設置された原稿サイズを検知する機能を併せ備えることを特徴とするシートスルー・ドキュメント・フィーダ補正処理装置。
【請求項２】
前記ゴミ位置検出手段を、シートスルー・ドキュメント・フィーダ読み取り時には前記ゴミ位置検出手段として、ブック読取り時には原稿サイズ検知手段として切り換えることを特徴とする請求項１記載のシートスルー・ドキュメント・フィーダ補正処理装置。
【発明の詳細な説明】
【技術分野】
【０００１】
本発明は、ディジタル複写機、複合機等の画像形成装置における原稿読み取り装置に関し、とくに原稿読み取り位置に対して、原稿を副走査方向に搬送し、画像読み取り位置を通過する原稿の画像を読み取るシートスルースキャン方式の原稿読み取り装置に関し、ブック読み取り時の原稿サイズ検知をＣＣＤ読み取りデータを用いて行うサイズ検知機能を有するシートスルー・ドキュメント・フィーダ補正処理装置に関するものである。
【背景技術】
【０００２】
近年、シートスルー・ドキュメント・フィーダ（以下、ＳＤＦと省略する）と呼ばれるＤＦ（原稿送り装置）がディジタル画像読み取り装置において使用されることが知られている（例えば、特許文献１および２参照）。
これは、ランプと集光体（追随してミラー）を原稿面に移動させることで原稿面を読み取る従来のＤＦ方式と異なり、ランプと集光体、ミラーは止めておき、ランプを光らせ、原稿を移動させることで原稿面を読み取る方式である。
従来のＤＦ方式よりも、シート原稿の読み取り速度が速い、機械的にＤＦの構造が簡単になるという利点があるため近年使用頻度が高くなっているが、読み取り面にゴミ、傷等があると原稿送り方向（縦方向）にスジが残るという問題がある。
これを防ぐための技術は幾つか開発されているが、そのうちの１つになる特許文献１は、原稿サイズにより原稿読み取り位置を２種類以上有し、読み取り画像に異物画像が含まれるか否か判断する異物検知手段を有する装置である。
この特許文献１においては、片方の読み取り位置でゴミ、あるいはキズ等が検出された場合には、原稿サイズに拘わらずもう一方の読み取り位置にて画像読み取りを行い、どちらの読み取り位置でもゴミ、あるいはキズ等が検出された場合には、原稿を移動させて読み取る方式を止めて原稿を固定し、ランプと集光体を移動させることで画像読み取りを行うことを特徴としている。
ところで、ＳＤＦ読み取りを設けた装置であっても、原稿を固定して読み取りを行う、いわゆるブック読み取りも同じ装置にて行うことができる。従来、ブック読み取り用に原稿サイズを自動で検知する原稿サイズ検知センサというものを備えていた。
近年このサイズ検知センサを取ることによるコストダウンの効果を図る技術が目覚しい。そのうちの１つにブック読み取り時の原稿サイズ検知の手段として、原稿画像を読み取るＣＣＤ読み取りデータを使う方式がある。
特許文献２がその１つで、いままで原稿サイズ検知センサを用いていたものを複数ラインのＣＣＤ読み取りデータを用いることで、定形原稿サイズ検知とともに、原稿のスキュー量も検出し、傾き補正を掛けることを特徴としている。
【特許文献１】特開２００２−１８５７０５公報
【特許文献２】特開２００１−３５８９１４公報
【発明の開示】
【発明が解決しようとする課題】
【０００３】
しかし、原稿のスキュー量を検出しようとすると複数ラインのデータを比較しなければならずメモリ量が増大してしまうというデメリットがある。ブック読み取りとＳＤＦ読み取りは同時に発生しない。
このため、ブック読み取りにおける原稿サイズ検知のメモリ量と、ＳＤＦ読み取りにおけるスジ補正のメモリ量とが同じになれば非常に効率が良い。特許文献１および２は、この２つの読み取り方式における問題点を同時に取り上げているものではなかった。
そこで、本発明の目的は、上述した実情を考慮して、ＳＤＦを備え、ＳＤＦ読み取り時にはスジ補正を行い、ブック読み取り時にはＣＣＤ読み取りデータを用いて原稿サイズ検知を行い、スジ補正用のメモリと原稿サイズ検知用のメモリを共用し、できるだけ安価な、サイズ検知機能を有するＳＤＦ補正処理装置を提供することにある。
【課題を解決するための手段】
【０００４】
上記の課題を解決するために、請求項１に記載の発明は、読み取り装置において、ＳＤＦを使用して原稿を読み取り、読み取った画像情報をディジタル変換された画像信号に変換し、原稿面と原稿読み取り素子間とのデータを少なくとも１ライン以上蓄えるメモリ手段と、このメモリ手段からの読み出しデータを用いてゴミ位置を検出するゴミ位置検出手段、前記メモリ手段からの読み出しデータを用いて原稿読み取りデータに補正を掛ける補正実施手段を有するＳＤＦ補正処理装置において、ＳＤＦを使わずにブック読み取りを行う場合に、前記メモリ手段の読み取り画像データから原稿台に設置された原稿サイズを検知する機能を併せ備えるＳＤＦ補正処理装置を特徴とする。
また、請求項２に記載の発明は、前記ゴミ位置検出手段をＳＤＦ読み取り時には前記ゴミ位置検出手段として、ブック読取り時には前記原稿サイズ検知手段として切り換える請求項１記載のＳＤＦ補正処理装置を特徴とする。
【発明の効果】
【０００５】
本発明によれば、ＳＤＦを備え、ＳＤＦ読み取り時にはスジ補正を行い、ブック読み取り時にはＣＣＤ読み取りデータを用いて原稿サイズ検知を行い、スジ補正用のメモリと原稿サイズ検知用のメモリを共用し、できるだけ安価な、サイズ検知機能を有するＳＤＦ補正処理装置を提供するといった課題を満足することができる。
【発明を実施するための最良の形態】
【０００６】
以下、図面を参照して、本発明の実施形態を詳細に説明する。図１は本発明の基となるＳＤＦ、ローラ方式の全体構成を示す概略図である。
ＳＤＦを備えたディジタル複写機１において、ＳＤＦ５は露光走査部２を含み、原稿台７にセットされた原稿Ｇは原稿搬送部５の搬送部６に入り、搬送ローラ８を介して原稿読み取り部９を通過し、コンタクトガラス３上のシート原稿押え４の位置まで送られる。
図２は実際に原稿を読み取る部分を示す拡大図である。図２を使って一連の原稿読み取り動作を説明する。図１の原稿台７にセットされた原稿Ｇは搬送ローラ８を通って原稿読み取り位置、すなわちシート原稿押え４の位置まで送られる。
原稿読み取り開始前にランプ１０ａが点灯し、リフレクタ１０ｂで集光され原稿面を照射する。搬送ローラ８にて原稿が一定速度で送られ、原稿面一面すべて読み取りが終了する。
図１および図２において、第１走行体１０のリフレクタ１０ｂで集光され、原稿面を照射した光は第２走行体１１のミラー１１ａ、１１ｂで反射され、レンズ１２を通ってＣＣＤ１３に入る。
図３は原稿搬送部の詳細を示す概略図である。図３において、原稿台７からの原稿Ｇは分離ローラ１７を通り、搬送ローラ１８、１９を介して原稿読み取り部９上を通過する。
図４はＳＤＦ付きディジタル複写機の全体構成を示すブロック図である。ＳＤＦ付きディジタル複写機１において、ＳＤＦ５により原稿をスキャナ（露光走査部）２にて読み取り、ＩＰＵ２０内で一連の画像処理を行い、プリンタ２１に画像データを出力し、原稿排出が行われる。
ＩＰＵ２０内の画像処理に必要なパラメータはＣＰＵ２２により設定が行われる。またパラメータ設定に必要なモード情報は操作部２３を使ってユーザが指定できるような構成となっている。
図５はＩＰＵからＳＤＦ読み取り補正に関連する部分のみを取り出したブロック回路図である。図５において、スキャナ読み取りデータパスとしてはシェーディング補正２６、縦スジ補正２７、フィルタおよびスキャナガンマ３０の順に処理される。縦スジ補正２７の切り換え信号として、ゴミ検出２８の結果であるゴミ検出オン／オフの１ビット信号を用いる。
【０００７】
図６はゴミ検出の内部回路を示すブロック図である。図７はラインメモリ内の書き込みデータの一例を示す概略図である。ゴミ検出２８、縦スジ補正２７の１実施例を図面に基づき簡単に説明する。
ゴミ検出２８の内部回路を示す図５およびラインメモリ内の書き込みデータの一例を示す図６において、原稿ＧがＳＤＦ５の読み取り窓に挿入される前の原稿押さえ白板４を読み取るため、ゴミが無い場合には白、ゴミがある場合には黒となる。
まず入力画像データＲＧＢ（モノクロの場合はＧのみ）を２値化回路３１で２値化し、白（０）／黒（１）の１ビットデータを生成する。カラーの場合はＲＧＢそれぞれに対して２値化結果が出力される。
しかし、独立に補正を掛けると色スジとなる可能性が高く、画質劣化が著しいため、オア回路３２でＲＧＢ２値化結果のオアを取り、１ラインメモリ２９に１ビットデータを書きこむ。
その後、原稿ＧがＳＤＦ５の読み取り窓に挿入され、縦スジ補正２７にＲＧＢ（モノクロの場合はＧのみ）画像データが入力されるとともに、ゴミ検出２８から１ラインメモリ２９に書き込まれた１ビットデータが読み出される。
図８は縦スジ補正の内部回路を示すブロック図である。図９は補正処理の一例を示す概略図である。縦スジ補正２７の内部回路を示す図８および補正処理の一例を示す図９において、原稿読み取りＲＧＢ（モノクロの場合はＧのみ）画像データが入力されるとともにゴミ検出２８からゴミ検出結果が読み出され、補間処理が実行される。
補間処理法としては直線補間を示しており、画像データＤ４とＤ５がゴミデータであった場合、ゴミ検出結果としてＤ４、Ｄ５に１出力されるため、Ｄ４、Ｄ５はそのまま用いずに、その近傍の画像データを使って補間処理を実行する。
図９の場合、Ｄ４’＝（Ｄ３×２＋Ｄ６×１）／３、Ｄ５’＝（Ｄ３×１＋Ｄ６×２）／３と補間演算される。
図１０はＣＣＤ読み取りによる原稿サイズ検知を説明する概略図である。図１１はセンサの一例を示す平面図である。次に本発明のもう一方の技術、すなわち、ＣＣＤ読み取りによる原稿サイズ検知を説明する。
【０００８】
図１０および図１１において、従来、コンタクトガラス３上にセットされた原稿Ｇの原稿サイズを自動で検知し、転写紙サイズ、あるいは倍率を自動で設定する方法として赤外線センサによる方式が用いられていた。
赤外線センサ３４の例を図１１に示してある。コンタクトガラス３上の原稿の有／無を赤外線センサにて感知し、複数個のセンサ検知結果から原稿サイズを決定する方式である。
しかしこの方式だと識別したい原稿サイズ分だけセンサを用意しなければならず、Ａ３、Ｂ４、Ａ５タテ／ヨコ、Ｂ５タテ／ヨコ、・・・と多種の原稿サイズに対応するのにセンサのコストが高くなってしまう、あるいはセンサの数が多くなり他の部品スペースに制約が出てきてしまうという問題があった。
そのため、原稿読み取り用のＣＣＤ１３の読み取りデータを原稿サイズセンサの役割が果たせないか、ということで始まったのがＣＣＤ読み取りによる原稿サイズ検知方式である。細かい違いを言うといろいろな方式が考えられているが、大きな流れで言うと、以下のようになる。
圧板（あるいはＤＦ）の開閉を検知、圧板がオープン、あるいは閉まり掛けのときにランプ１０ａを光らせ主走査方向、最低でも１ライン以上の読み取りデータを読み出し、読み取りデータの白（原稿内）／黒（原稿外）の変化点を検知し、主走査方向の原稿サイズを決定する。副走査方向もＣＣＤ読み取りデータで行おうとするとプレスキャンが必要となるため、従来通りセンサを用いる場合が多い。
ただし、図１１にあるように原稿領域を使ってのサイズ検知となるため、まず原稿領域にキャリッジがあり、サイズ検知を行いながらホームポジションに戻り、その後本スキャンをスタートするというタイミングとなる。本発明では、この原稿サイズ検知用のメモリと縦スジ補正用のメモリとを共用することが特徴となっている。
【０００９】
図１２は本発明におけるゴミ検出およびサイズ検知の回路を示すブロック図である。図１２において、縦スジ補正の場合にはゴミ検出用の１ラインメモリ２９はＣＰＵ２２から読み出しを行わなくても実行できたが、サイズ検知の場合にはメモリ読み出し結果から原稿サイズを判定するためＣＰＵ読み出し機能が追加されている。
ただし、縦スジ補正処理の場合も、ゴミがあるかどうか、あるいはゴミがどこについているかどうかの位置情報を同時に知りたい場合もあり、そのときには従来でもＣＰＵ読み出し機能は必要になる。
そのため、サイズ検知機能を持たせたことによるハードウェアの追加はほとんど無く、図１２の例で言うと平均化回路３５のみとなる。これも画質によってはそれほど大きな回路は必要でなく、ほぼ従来通りの回路規模で実現できる。そのため本発明の変更点はソフトウェアによるタイミング制御の追加、切り換えが主たる技術となる。
図１３はゴミ検出メモリ書き込み（ローラ方式での縦スジ補正）のタイミング制御を説明するタイミングチャートである。図１４はサイズ検知メモリ書き込みのタイミング制御を説明するタイミングチャートである。
ＳＤＦ５による原稿読み取りを行う場合、このタイミング制御にしたがって読み取り動作が開始される。スタートキー（図示せず）が押されるとともにランプ１０ａが点灯し、白板読み取りを行い、シェーディング補正を実行する。
その後再度原稿読み取り位置にキャリッジが移動し、原稿挿入前の原稿押さえ白板を読み取り、ゴミ検出用のメモリに２値化データを書き込む。その後原稿が挿入され、原稿読み取りを行うと同時にゴミ検出メモリ結果を読み出し、縦スジ補正を行う。
【００１０】
次に原稿サイズ検知のタイミング制御を説明する。ＳＤＦ５を開閉したときが原稿を入れ換えるタイミングとなるため、ＳＤＦ開閉センサのオン／オフが原稿サイズ検知の制御のトリガとなる。
ＳＤＦ５が開、あるいは開から閉に移行したときランプ１０ａが点灯する。待機状態にてキャリッジが原稿サイズ検知位置にあるため、即座に原稿サイズ検知用の書き込み信号を発生する。
その後基準白板を通過するさいにシェーディング補正を行いながらＣＰＵ読み出しも同時に行い、原稿サイズ判定後本スキャンを行い、原稿読み取りを行う。図１５はサイズ検知時のメモリ読み出しデータの一例を示す概略図である。
論理としては白：０、黒：２５５を示し、原稿がある部分はほぼ白データが書き込まれ、原稿外は圧板が閉まる前であれば反射光が少ないため暗く２５５に近い値が書き込まれる。読み出すと図１５にあるように途中から０から２５５にシフトする位置が検出され、その座標により原稿サイズが予測される。
図１６は本発明における動作の流れを示すフローチャートである。まず原稿サイズ検知なのか縦スジ補正なのかを判断し（Ｓ１）、原稿サイズ検知であれば原稿サイズ検知タイミング設定を行う（Ｓ２）。縦スジ補正であれば縦スジ補正検出（ゴミ検出）タイミングを設定する（Ｓ７）。
メモリ書き込み信号によりそれぞれの検出結果が１ラインメモリ２９内に書き込まれるため（Ｓ３）、原稿サイズ検知時はＣＰＵ読み出しを行い（Ｓ４）、原稿サイズ判定を行い、その後本スキャン、原稿読み取りへと進む（Ｓ６）。
縦スジ補正時は１ラインメモリ２９内に書き込み（Ｓ８）、ＣＰＵ読み出しを行わずに続けて本スキャン、原稿読み取り（縦スジ補正）を行ってしまう（Ｓ９）。
【図面の簡単な説明】
【００１１】
【図１】本発明の基となるＳＤＦ、ローラ方式の全体構成を示す概略図。
【図２】実際に原稿を読み取る部分を示す拡大図。
【図３】原稿搬送部の詳細を示す概略図。
【図４】ＳＤＦ付きディジタル複写機の全体構成を示すブロック図。
【図５】ＩＰＵからＳＤＦ読み取り補正に関連する部分のみを取り出したブロック回路図。
【図６】ゴミ検出の内部回路を示すブロック図。
【図７】ラインメモリ内の書き込みデータの一例を示す概略図。
【図８】縦スジ補正の内部回路を示すブロック図。
【図９】補正処理の一例を示す概略図。
【図１０】ＣＣＤ読み取りによる原稿サイズ検知を説明する概略図。
【図１１】センサの一例を示す平面図。
【図１２】本発明におけるゴミ検出およびサイズ検知の回路を示すブロック図。
【図１３】ゴミ検出メモリ書き込み（ローラ方式での縦スジ補正）のタイミング制御を説明するタイミングチャート。
【図１４】サイズ検知メモリ書き込みのタイミング制御を説明するタイミングチャート。
【図１５】サイズ検知時のメモリ読み出しデータの一例を示す概略図。
【図１６】本発明における動作の流れを示すフローチャート。
【符号の説明】
【００１２】
２  読み取り装置（露光走査部、スキャナ）
５  ＳＤＦ
７  原稿台
１３  ＣＣＤ（原稿読み取り素子）
２８  ゴミ位置検出手段（原稿サイズ検知手段、ゴミ位置検出回路）
２９  メモリ手段（１ラインメモリ）
３１  補正実施手段（２値化回路）
Ｇ  原稿
【図１】
2006054717.tif 000003
【図２】
2006054717.tif 000004
【図３】
2006054717.tif 000005
【図４】
2006054717.tif 000006
【図５】
2006054717.tif 000007
【図６】
2006054717.tif 000008
【図７】
2006054717.tif 000009
【図８】
2006054717.tif 000010
【図９】
2006054717.tif 000011
【図１０】
2006054717.tif 000012
【図１１】
2006054717.tif 000013
【図１２】
2006054717.tif 000014
【図１３】
2006054717.tif 000015
【図１４】
2006054717.tif 000016
【図１５】
2006054717.tif 000017
【図１６】
2006054717.tif 000018